(57)【要約】  【課題】  引き裂きにより開封容易で開封後の再閉操作が容易で、通気性を備える包装袋の開封構造を提供しようとする。  【解決手段】  一方向への引き裂きにより開封されることとなる開封部を含むフィルム材から成る包装袋の開封構造であって、該開封部においてフィルム材とテープ状の布とが重畳され、該布と少なくとも該布と面する該フィルム材とが該布の長手方向に沿って帯状に融着された封止帯が形成された開封構造である。又、前記布と該布に面する前記フィルム材とが、前記布の長手方向に沿って帯状に融着された封止帯Ａが形成され、該布と一対の対向するフィルム材とが帯状に融着された、該封止帯Ａと間隔をおいて収納部の反対側に平行に配された封止帯Ｂが形成され、前記布に面するフィルム材の該封止帯Ａと該封止帯Ｂとの間の部分に通気部が形成された開封構造である。  【選択図】  図１
2006176166.tif 000002
【特許請求の範囲】
【請求項１】
本体がフィルムで構成され、正面部、背面部をそれぞれ構成する一対のシート部を有して内容物を収納する収納部を備えた包装袋に備えられる、一方向への引き裂きにより開封されることとなる開封部を含む開封構造であって、
該開封部において該シート部とテープ状物とが重畳され、該テープ状物と、前記一対のシート部のうち少なくとも該布と面するシート部とが、該布の長手方向に沿って帯状に融着された封止帯が形成され、
前記テープ状物がテープ状の布である開封構造。
【請求項２】
前記封止帯の片端部に、該封止帯の幅方向に延出された、前記布と、前記一対のシート部のうち少なくとも該布と面する前記シート部とが、融着された融着部が形成された請求項１に記載の開封構造。
【請求項３】
本体がフィルムで構成され、正面部、背面部をそれぞれ構成する一対のシート部を有して内容物を収納する収納部を備えた包装袋に備えられる、一方向への引き裂きにより開封されることとなる開封部を含む開封構造であって、
該開封部において、
テープ状物と該テープ状物に面する前記シート部とが、該テープ状物の長手方向に沿って帯状に融着された封止帯Ａが形成され、
該テープ状物と前記一対のシート部とが帯状に融着された、該封止帯Ａと間隔をおいて前記収納部の反対側に平行に配された封止帯Ｂが形成された開封構造。
【請求項４】
前記テープ状物がテープ状の布である請求項３に記載の開封構造。
【請求項５】
前記布が通気性を有し、該布と該布に面する前記シート部とが、前記布の長手方向に沿って帯状に融着された封止帯Ａが形成され、
該布と前記一対のシート部とが帯状に融着された、該封止帯Ａと間隔をおいて前記収納部の反対側に平行に配された封止帯Ｂが形成され、
前記布に面するシート部の該封止帯Ａと該封止帯Ｂとの間の部分に、切り目、孔、間隙から選択される通気部が形成された請求項１又は２に記載の開封構造。
【請求項６】
前記布が通気性を有し、該布と該布に面する前記シート部とが、該布の長手方向に沿って帯状に融着された封止帯Ａが形成され、
該布と前記布に面するシート部とが帯状に融着された、該封止帯Ａと間隔をおいて前記収納部の反対側に平行に配された封止帯Ｃが形成され、
前記一対のシート部同士が帯状に融着された、該封止帯Ｃと間隔をおいて該封止帯Ａの反対側に平行に配された封止帯Ｄが形成され、前記布に面するシート部の、該封止帯Ａと該封止帯Ｃとの間の部分に、切り目、孔、間隙から選択される通気部が形成された請求項１又は２に記載の開封構造。
【請求項７】
前記封止帯Ａと前記封止帯Ｂとの間隔、又は、前記封止帯Ａと前記封止帯Ｃとの間隔が少なくとも前記封止帯Ａの一の端部において０．５〜４ｍｍである請求項３乃至６のいずれかに記載の開封構造。
【請求項８】
前記封止帯Ａと前記封止帯Ｂとの間隔、又は、前記封止帯Ａと前記封止帯Ｃとの間隔が前記一の端部から他の端部の方向に広がる請求項７に記載の開封構造。
【請求項９】
前記封止帯Ａの他の端部に、該封止帯Ａの幅方向に延出された、前記テープ状物と、前記一対のシート部のうち少なくとも前記テープ状物と面するシート部とが融着された融着部が形成された請求項３乃至８のいずれかに記載の開封構造。
【請求項１０】
前記テープ状物の一端部が前記シート部の縁からはみだした状態で前記テープ状物が前記シート部に重畳された請求項１乃至９のいずれかに記載の開封構造。
【請求項１１】
前記テープ状物がテープ状の不織布である請求項１乃至１０のいずれかに記載の開封構造。
【請求項１２】
本体がフィルムで構成され、正面部、背面部をそれぞれ構成する一対のシート部を有して内容物を収納する収納部を備え、請求項１乃至１１のいずれかに記載の開封構造と、内容物が収納されたのち封止される開口縁部とを備える包装袋。
【発明の詳細な説明】
【技術分野】
【０００１】
本発明は、引き裂きにより開封可能な包装袋及び開封構造に関する。又、更に通気性を備える包装袋及び開封構造に関する。
【背景技術】
【０００２】
引き裂きにより開封可能な密閉包装袋が各種の用途に普及している。（例えば、特許文献１参照。）しかし、開封後袋に内容物が残存し、その袋を閉じようとする場合はクリップや洗濯バサミや輪ゴム等の封止具を必要とし、閉じる操作に手間がかかる。
【０００３】
又、チャックテープを備えて、引き裂き開封後はチャックテープでその袋を閉じるもの（例えば、特許文献２参照。）もあるが製造コストが高く、用途が限定される。
【０００４】
一方、密閉包装袋は菓子等の湿気を嫌う物の包装には適しているが、米等の穀類など完全に密閉すると品質に影響する物や内圧が過剰に増大する物の包装には不適な場合もあり、封止後の通気性が求められる。
【０００５】
封止後の包装袋に通気性を付与する方法としては、包装袋本体のフィルム同士を間歇的にシールして非シール部分を残しておくこと、（例えば、特許文献３参照。）包装袋本体の壁の一部を不織布のような通気性のシートで構成すること、（例えば、特許文献４参照。）
プラスチックフィルムの袋体に切り込みや穴のような通気孔を形成すること（例えば、特許文献５参照。）が開示されている。
【０００６】
フィルム同士を間歇的にシールする態様は、非シール部分の幅が通気性に大きく影響する。非シール部分の幅が大きいと比較的製造容易であるが内容物が粒状であるとそこから漏れるおそれがある。又、異物が袋の内部に入り込むおそれもある。一方、非シール部分を小さくすると非シール部分のサイズが融着加工の条件に影響されて所定の通気性を得るための所定の値に形成することが難しい。袋体に通気孔を形成するとその部分のフィルムの強度が低下するおそれがある。
【０００７】
布のような通気性のシートを用いる方法においても、従来の方法では開封後袋に、袋を閉じる操作に手間がかかる問題が残る。
【特許文献１】特開平５−４２９５１号公報
【特許文献２】特開２００３−２４６３３２号公報
【特許文献３】特開２０００−１４２７２９号公報
【特許文献４】特開平１１−３３４７４６号公報
【特許文献５】特開平１１−９１８０４号公報
【発明の開示】
【発明が解決しようとする課題】
【０００８】
本発明の目的は、引き裂きにより開封容易で開封後の再閉操作が容易な包装袋の開封構造を提供することにある。
【０００９】
本発明の目的は、引き裂きにより開封容易で開封後の再閉操作が容易で、かつ通気性を備える包装袋の開封構造を提供することにある。
【課題を解決するための手段】
【００１０】
本発明の要旨とするところは、本体がフィルムで構成され、正面部、背面部をそれぞれ構成する一対のシート部を有して内容物を収納する収納部を備えた包装袋に備えられる、一方向への引き裂きにより開封されることとなる開封部を含む開封構造であって、
該開封部において該シート部とテープ状物とが重畳され、該テープ状物と、前記一対のシート部のうち少なくとも該布と面するシート部とが、該布の長手方向に沿って帯状に融着された封止帯が形成され、
前記テープ状物がテープ状の布である開封構造であることにある。
【００１１】
前記開封構造においては、前記封止帯の片端部に、該封止帯の幅方向に延出された、前記布と、前記一対のシート部のうち少なくとも該布と面する前記シート部とが、融着された融着部が形成され得る。
【００１２】
又、本発明の要旨とするところは、本体がフィルムで構成され、正面部、背面部をそれぞれ構成する一対のシート部を有して内容物を収納する収納部を備えた包装袋に備えられる、一方向への引き裂きにより開封されることとなる開封部を含む開封構造であって、
該開封部において、
テープ状物と該テープ状物に面する前記シート部とが、該テープ状物の長手方向に沿って帯状に融着された封止帯Ａが形成され、
該テープ状物と前記一対のシート部とが帯状に融着された、該封止帯Ａと間隔をおいて前記収納部の反対側に平行に配された封止帯Ｂが形成された開封構造であることにある。
【００１３】
前記テープ状物はテープ状の布であり得る。
【００１４】
前記開封構造においては、前記布が通気性を有し、該布と該布に面する前記シート部とが、前記布の長手方向に沿って帯状に融着された封止帯Ａが形成され、
該布と前記一対のシート部とが帯状に融着された、該封止帯Ａと間隔をおいて前記収納部の反対側に平行に配された封止帯Ｂが形成され、
前記布に面するシート部の該封止帯Ａと該封止帯Ｂとの間の部分に、切り目、孔、間隙から選択される通気部が形成され得る。
【００１５】
前記開封構造においては、前記布が通気性を有し、該布と該布に面する前記シート部とが、該布の長手方向に沿って帯状に融着された封止帯Ａが形成され、
該布と前記布に面するシート部とが帯状に融着された、該封止帯Ａと間隔をおいて前記収納部の反対側に平行に配された封止帯Ｃが形成され、
前記一対のシート部同士が帯状に融着された、該封止帯Ｃと間隔をおいて該封止帯Ａの反対側に平行に配された封止帯Ｄが形成され、前記布に面するシート部の、該封止帯Ａと該封止帯Ｃとの間の部分に、切り目、孔、間隙から選択される通気部が形成され得る。
【００１６】
前記封止帯Ａと前記封止帯Ｂとの間隔、又は、前記封止帯Ａと前記封止帯Ｃとの間隔は、少なくとも前記封止帯Ａの一の端部において０．５〜４ｍｍであり得る。
【００１７】
前記封止帯Ａと前記封止帯Ｂとの間隔、又は、前記封止帯Ａと前記封止帯Ｃとの間隔は、前記封止帯Ａの前記一の端部から他の端部の方向に広がり得る。
【００１８】
前記封止帯Ａの他の端部には、該封止帯Ａの幅方向に延出された、前記テープ状物と、前記一対のシート部のうち少なくとも前記テープ状物と面するシート部とが融着された融着部が形成され得る。
【００１９】
前記開封構造においては、前記テープ状物の一端部が前記シート部の縁からはみだした状態で前記テープ状物が前記シート部に重畳され得る。
【００２０】
前記テープ状物はテープ状の不織布であり得る。
【００２１】
更に、本発明の要旨とするところは、本体がフィルムで構成され、正面部、背面部をそれぞれ構成する一対のシート部を有して内容物を収納する収納部を備え、前記開封構造と、内容物が収納されたのち封止される開口縁部とを備える包装袋であることにある。
【発明の効果】
【００２２】
本発明によると、引き裂きにより開封容易な包装袋の開封構造が提供される。
【００２３】
本発明によると、引き裂きにより開封容易で開封後の再閉操作が容易な包装袋の開封構造が提供される。
【００２４】
本発明によると、引き裂きにより開封容易で開封後の再閉操作が容易で、かつ通気性を備える包装袋の開封構造が提供される。
【発明を実施するための最良の形態】
【００２５】
本発明の実施形態について、図面を使用して説明する。なお、本明細書においては、各図にわたって記される同じ符号は同一又は同様の部材やものを示す。図１に示す本発明の最も好ましい態様においては、内容物を収納する収納部５を有する包装袋２の本体が互いに対面する一対のシート部４、４´で構成される。シート部４、４´は包装袋２の正面部、背面部をそれぞれ構成する。あるいは背面部、正面部をそれぞれ構成する。本発明の開封構造１が包装袋２に備えられる。開封構造１は開封される開封部６を有する。開封部６は包装袋２の上縁部に位置するが、開封により内容物が取り出せる配置であれば上縁部とは異なる位置に配されてもよい。シート部４、４´はいずれもフィルム状の樹脂から成り、通常はシート部４、４´は筒状に連接されて全体として筒状のフィルムから構成されており、底部１６で封止されている。シート部４、４´の全体構成が、互いに相対する一対の単葉状のフィルム同士が縁で接合封止されて袋状構造になっているものであってもよい。
【００２６】
開封部６において、シート部４の包装袋２の外面がわに、テープ状の布８が重畳されている。布８は包装袋２の上縁部に沿って上縁部の長手方向と平行に配される。又、開封部６において、シート部４と布８とが、布８の長手方向に沿って帯状に融着された封止帯Ａが形成されている。又、布８と一対のシート部４、４´とが帯状に融着された封止帯Ｂが形成されている。封止帯Ｂは、封止帯Ａと間隔をおいて収納部５の反対側に封止帯Ａと平行に配される。
【００２７】
布８に面するシート部４の、封止帯Ａと封止帯Ｂとの間の部分１５に、切り目１４から成る通気部１６が形成されている。図２、図３に切り目１４の態様を示す。
【００２８】
なお、通気部１６は部分１５に形成された孔であってもよい。スリット状の隙間であってもよい。
【００２９】
封止帯Ａは一の端部１９から他の端部１８に向けて引き裂かれることとなる。他の端部１８に、封止帯Ａの長手方向の縁から収納部５の方向に延出された、シート部４、４´と布８とが融着されて成る融着部２２が形成されている。融着部２２は、封止帯Ａの長手方向の縁から封止帯Ｂの方向にも延出され封止帯Ａと封止帯Ｂとに跨って形成されている。融着部２２は収納部５の方向にのみ延出されていてもよいが、強度の点では封止帯Ａと封止帯Ｂとに跨って形成されていることが好ましい。
【００３０】
又、融着部２２は、シート部４と布８とが融着されて成る融着部であってもよいが、シート部４、４´と布８とが融着されて成る融着部であることが強度の点で好ましい。
【００３１】
封止帯Ｂは包装袋２に内容物を入れて封止する機能も有しているので、内容物を入れてから封止帯Ｂが形成されてもよい。予め封止帯Ａ、封止帯Ｂがとともに形成されている場合は、内容物を入れてから底部１６が封止される。
【００３２】
本発明のかかる構成により、収納部５が通気部１６をのぞけば外部に対して封止される。通気部１６においては、収納部５内の空気が切り目１４及び通気性の布８を通過して外部と出入りできる。布８は外部のダスト等の異物を遮断するフィルタの機能も有している。又、布８は切り目１４を通って内容物が外部に漏れることを防ぐ。このように、本発明の包装袋２は収納部５の外部に対する通気性が確保されているとともに外部のダスト等の異物を内部に入らないように遮断する機能を有している。
【００３３】
包装袋２の開封は、封止帯Ａに沿ってシート部４、４´を引き裂くことにより容易になされる。封止帯Ａはフィルムと布とが融着した比較的剛直かつ高強力な帯状物から成るので、シート部４、４´を封止帯Ａに沿って容易にかつ直線状に引き裂くことが出来る。シート部４、４´がカットする方向に引き裂き性があるフィルムから成ることが容易な引き裂き操作のうえで更に好ましい。フィルムと布とが融着した構成は、フィルム同士が融着又は接着した構成に比較して剛直かつ高強力な帯状物が得られる。これは、布８を構成する繊維がその分子配向構造により、フィルムより高強度であり、又、融着によりその配向構造が完全には失われないためである。又、融着によりシート部４（４´）を構成する樹脂が布の繊維の間隙に侵入して強固な複合構造が形成されるためである。
【００３４】
なお、布８は、融着部２２と反対がわの一端部９がシート部４、４´（包装袋本体）からはみだした状態でシート部４に重畳されているので、一端部９を指でつまんで引き裂き操作を行なうことができ、操作は更に容易になる。
【００３５】
シート部４、４´は融着部２２の反対がわから融着部２２の方向へ引き裂かれる。引き裂きの切れ目が融着部２２に達すると、切れ目の進行が融着部２２で止まってそれ以上には進行しない。これにより、図４に示すように、細幅テープ状の引き裂き片２４が開封された包装袋２´の開封縁部の一端に融着部２２を介して連結された構造が得られる。
【００３６】
引き裂き片２４を用いて図５に示すように、包装袋２´の開封縁部を窄めて引き裂き片２４で括ることが出来る。これにより、内容物の一部が内部に残留している包装袋２´を再び括って閉封する操作が極めて容易になる。従来内容物の一部が内部に残留している包装袋２´を再び括って閉封することは、紐や輪ゴムや洗濯バサミなどを用いてなされていたのでそのような括り用品を調達しておく手間がかかり又、操作が煩雑であった。引き裂き片２４は布とフィルムとが複合された構造となっているのでこのような括りのための長尺物として高い強度を有する。
【００３７】
融着部２２は、図６に示すように、例えばシート部４、４´の中央部まで延長されていてもよい。この場合は、一端部９のがわ（融着部２２の反対がわ）からシート部４、４´の中央部までが引き裂きにより開封され、引き裂きは融着部２２に達すると止められてこれ以上進行しない。従って、融着部２２の、包装袋２ｇの幅方向にみた、長さＬを変えることにより、所望の長さの開封長ＬＯを有する包装袋を得ることが出来る。又、本発明においては、開封後に内容物の出し入れ等で包装袋を操作しても、引き裂きが進行することはなく、開封後の開封長ＬＯは変わらない。従来の引き裂き開封においては、開封後の開封長は引き裂きを手で加減して決めなければならず、不安定な操作を要するため、所望の引き裂き長を安定して得ることが難かしかった。又、引き裂かれた開封部は僅かな外力で引き裂きが更に進行するので、開封後に内容物の出し入れ等で包装袋が操作されると、一定の開封長を維持できない場合が多かった。
【００３８】
又、本発明においては、封止帯Ａと封止帯Ｂは必ずしも平行である必要はなく、例えば、図７に示す包装袋２ｈのように封止帯Ｂが包装袋２ｈの幅方向と平行で、封止帯Ａが封止帯Ｂに対して僅かに斜めに配されていてもよい。図７に示す態様においては、封止帯Ａと封止帯Ｂとの間隔が一の端部１９（一端部９のがわ）でＳと狭くされ、融着部２２のがわでＳＥとＳよりも広くされている。Ｓを０．５〜４ｍｍとすることにより、シート部４、４´が比較的厚いフィルム材で構成されている場合も容易に引き裂きを行なうことが出来る。Ｓが５ｍｍを超えて大きくなると、シート部４、４´が比較的厚いフィルム材で構成されている場合に引き裂きが行われにくいことがある。Ｓが２〜４ｍｍであることが、引き裂きの容易さのうえで更に好ましい。
【００３９】
図８に示すように、封止帯Ａ、封止帯Ｂともに包装袋２ｉの幅方向と平行でない態様であってもよい。この場合も、封止帯Ａと封止帯Ｂとの間隔が一の端部１９（一端部９のがわ）でＳと狭くされ、融着部２２のがわでＳＥとＳよりも広くし、Ｓを０．５〜４ｍｍとすることにより、シート部４、４´が比較的厚いフィルム材で構成されている場合も容易に引き裂きを行なうことが出来る。Ｓが２〜４ｍｍであることが、引き裂きの容易さのうえで更に好ましい。
【００４０】
図７、図８に示す態様においては、融着部２２に近いがわで封止帯Ａと封止帯Ｂとの間隔が広いところに切り目１４が形成される。このように、封止帯Ａと封止帯Ｂとの間隔が広いところがあることにより、封止帯を形成するための融着操作の際に封止帯が切り目１４にかかって形成されるおそれがなくなり、安定した加工が行なわれる。
【００４１】
又、本発明においては、図９に示すように、切り目１４（図２、図３）を有しない点をのぞいては図２、図３と同じ構成の包装袋２ｊが開示される。包装袋２ｊは通気性を有しないが、包装袋２と同様の優れた開封性を有する。包装袋２ｊにおいては、シート部４、４´が比較的厚いフィルム材で構成されている場合、封止帯Ａと封止帯Ｂとの間隔Ｓ´が少なくとも一端部９のがわで１〜４ｍｍであることが引き裂きの容易さのうえで好ましい。Ｓ´が２〜４ｍｍであることが引き裂きの容易さのうえで好ましい。
【００４２】
図９に示す態様においては、テープ状の布８にかえてテープ状のフィルムのようなテープ状物が用いられても優れた開封性が得られる。テープ状物としてテープ状の布８が用いられることが開封性のうえでより好ましい。
【００４３】
本発明の他の態様においては、図１０に示すように、包装袋２ａが、本体が互いに対面する一対のシート部４、４´で構成され、開封構造１ａを構成する開封部６ａにおいて、シート部４の包装袋２ａの外面がわに、開封部６ａの長手方向に沿って、テープ状の布８が重畳され、シート部４と布８とが開封部６ａの長手方向に沿って帯状に融着された封止帯Ａが形成されている。又、布８とシート部４とが帯状に融着された封止帯Ｂ´が形成されている。封止帯Ｂ´は、封止帯Ａと間隔をおいて収納部５の反対側に封止帯Ａと平行に配される。布８に面するシート部４の、封止帯Ａと封止帯Ｂ´との間の部分１５に、通気部１６が形成されている。図１１にＫ−Ｋ方向の断面図を示す。
【００４４】
更に、封止帯Ａの他の端部１８に、封止帯Ａの長手方向の縁から収納部５の方向に延出された、シート部４と布８とが融着されて成る融着部２２ａが形成されている。融着部２２ａは、封止帯Ａの長手方向の縁から封止帯Ｂ´の方向にも延出され封止帯Ａと封止帯Ｂ´とに跨って形成されている。融着部２２ａは収納部５の方向にのみ延出されていてもよいが、強度の点では封止帯Ａと封止帯Ｂ´とに跨って形成されていることが好ましい。
【００４５】
又更に、封止帯Ｂ´と間隔をおいて封止帯Ａの反対がわに、シート部４、４´が開封部６ａの長手方向に沿って帯状に融着された封止帯Ｃが形成されている。封止帯Ｃは包装袋２ａに内容物を入れて封止するためのもので、内容物を入れてから封止帯Ｃが形成されてもよいが、予め封止帯Ａ、封止帯Ｂ´とともに形成されて、内容物を入れてから包装袋２ａの底部１６が封止されてもよい。
【００４６】
本発明の別の態様においては、融着部２２ａが形成されず、封止帯Ａと封止帯Ｂ´が包装袋２ａの前幅にわたって形成される態様であってもよい。この場合であっても、良好な引き裂き性が得られる。
【００４７】
本発明の更に他の態様においては、図１２に示すように、包装袋２ｂがその幅方向に端から端までにわたる封止帯Ａと封止帯Ｂを備えて開封構造１ｂが構成されるものであってもよい。この態様においては、開封により開封縁部の一端に連結された図４に示すような引き裂き片２４は形成されないが、包装袋２ｂは収納部５の外部に対する通気性が確保されているとともに外部のダスト等の異物を内部に入らないように遮断する機能を有しかつ直線状に引き裂く操作が極めて容易である。
【００４８】
本発明の又更に他の態様においては、図１３に示すように、包装袋２ｃが封止帯Ｂを備え、封止帯Ｂの片端部にシート部４、４´と布８とが融着されて成る融着部２２が形成され、これらにより開封構造１ｃが構成されるものであってもよい。この態様においては、包装袋２ｃは収納部５の外部に対する通気性は確保されないが、開封により開封縁部の片端に連結された図４に示すような引き裂き片が形成される。融着部２２はシート部４と布８とが融着されて成るものであってもよい。図１３に示す態様においては布８は通気性を有しなくともよい。
【００４９】
本発明の更に又他の態様においては、図１４に示すように、包装袋２ｄがその幅方向に端から端までにわたる封止帯Ｂを備えこれにより開封構造１ｄが構成されるものであってもよい。この態様においては、包装袋２ｄは収納部５の外部に対する通気性は確保されないが、封止帯Ｂがフィルムと布とが融着した比較的剛直な帯状物から成るので、シート部４、４´を封止帯Ｂに沿って容易にかつ直線状に引き裂くことが出来る。
【００５０】
包装袋２ｂ、２ｃ、２ｄにおいても、内容物を入れてから封止帯Ｂが形成されてもよいが、予めＢが形成されて、内容物を入れてから包装袋の底部１６が封止されてもよい。
【００５１】
本発明の又更に別の態様においては、図１５に示すように、包装袋２ｅが封止帯Ａを備え、封止帯Ａの片端部にシート部４、４´と布８、又はシート部４と布８とが融着されて成る融着部２２が形成され、これらにより開封構造１ｅが構成されるものであってもよい。図１６に示す態様においては、包装袋２ｅの上縁部３０が別途封止される。
【００５２】
本発明の更に又別の態様においては、図１６に示すように、包装袋２ｆがその幅方向に端から端までにわたる封止帯Ａを備えこれにより開封構造１ｆが構成されるものであってもよい。図１５、図１６に示す態様においては、封止帯Ａがフィルムと布とが融着した比較的剛直な帯状物から成るので、シート部４を封止帯Ａに沿って容易にかつ直線状に引き裂くことが出来る。
【００５３】
シート部４、４´の素材は引き裂き可能で熱融着可能なフィルムが形成される樹脂であれば特に限定されない。この樹脂としては例えば、ポリエチレン、ポリプロピレン、ポリエステル、ポリ塩化ビニルが挙げられる。又、これらの樹脂それぞれの共重合樹脂が挙げられる。樹脂にはフィラー等の添加物が含有されていてもよい。シート部４、４´を構成するフィルムは異種のフィルムが積層された複合フィルムであってもよい。米袋用としてはコストや熱融着加工の面から樹脂はポリエチレンであることが好ましい。
【００５４】
布８の素材は、特に限定されない。例えば、織テープであってもよい。不織布であることがコストやシート部４、４´との熱融着性のうえで最も好ましい。不織布としては、スパンボンド不織布が強度や外力に対する寸法安定性のうえで好ましい。不織布を構成する繊維の素材はシート部４、４´の素材と相溶性を有する素材を含むことがシート部４、４´との熱融着性のうえで好ましい。不織布を構成する繊維は、シート部４、４´の素材と相溶性を有する素材と、比較的高融点の素材との複合繊維であることがシート部４、４´との熱融着性、及び融着部２２や封止帯の強度の点で好ましい。
【００５５】
本発明の包装袋は、米袋等の穀類用の保存、運搬用の袋、菓子袋等の食品用袋、化粧品、薬品や化成品の保存、運搬用の袋、砂、砂利、セメント等の粉粒状の建材、肥料、木材チップ、樹脂チップ、黒鉛、洗剤、研磨材、セラミックス原料、フェライト等電子材料、顔料、染料、トナー等の工業製品の保存、運搬用の袋に好適に適用される。
【００５６】
その他、本発明は、主旨を逸脱しない範囲で当業者の知識に基づき種々なる改良、修正、変更を加えた態様で実施できるものである。
【図面の簡単な説明】
【００５７】
【図１】本発明の開封構造の態様の一例の構成を示す平面図である。
【図２】図１に示す開封構造における切り目の態様を示す平面図である。
【図３】図１に示す開封構造のＰ−Ｐ方向の断面図である。
【図４】包装袋が開封された状態を示す平面模式図である。
【図５】開封された図４に示す包装袋の開封縁部を窄めて引き裂き片で括る態様を示す斜視模式図である。
【図６】本発明の図２に示す態様とは異なる態様の一例の開封構造の構成を示す平面図である。
【図７】本発明の図６に示す態様とは異なる態様の一例の開封構造の構成を示す平面図である。
【図８】本発明の図７に示す態様とは異なる態様の一例の開封構造の構成を示す平面図である。
【図９】本発明の図８に示す態様とは異なる態様の一例の開封構造の構成を示す平面図である。
【図１０】本発明の他の態様の開封構造の構成を示す平面図である。
【図１１】図１０に示す開封構造のＫ−Ｋ方向の断面図である。
【図１２】本発明の更に他の態様の開封構造の構成を示す平面図である。
【図１３】本発明の又更に他の態様の開封構造の構成を示す平面図である。
【図１４】本発明の更に別の態様の開封構造の構成を示す平面図である。
【図１５】本発明の又更に別の態様の開封構造の構成を示す平面図である。
【図１６】本発明の更に別の態様の開封構造の構成を示す平面図である。
【符号の説明】
【００５８】
１、１ａ、１ｂ、１ｃ、１ｄ、１ｅ、１ｆ：開封構造
２、２ａ、２ｂ、２ｃ、２ｄ、２ｅ、２ｆ：包装袋
４、４´：シート部
６：開封部
５：収納部
１６：底部
８：布（テープ状物）
Ａ、Ｂ、Ｃ：封止帯
１６：通気部
２２：融着部
【図１】
2006176166.tif 000003
【図２】
2006176166.tif 000004
【図３】
2006176166.tif 000005
【図４】
2006176166.tif 000006
【図５】
2006176166.tif 000007
【図６】
2006176166.tif 000008
【図７】
2006176166.tif 000009
【図８】
2006176166.tif 000010
【図９】
2006176166.tif 000011
【図１０】
2006176166.tif 000012
【図１１】
2006176166.tif 000013
【図１２】
2006176166.tif 000014
【図１３】
2006176166.tif 000015
【図１４】
2006176166.tif 000016
【図１５】
2006176166.tif 000017
【図１６】
2006176166.tif 000018